(57)【要約】  石英ガラス等の透明な媒体内部に短パルスレーザを集光し、屈折率が異なる微小な変性領域を形成することで記録を行う際に、記録品質を確保することが困難であった。  そこで、深さ方向の記録ドット長をモニタ111し、モニタしたドット長に基づいてレーザ光のパワーを調整するか、記録ドットの領域が周囲より明るく見えるフォーカス位置と、周囲より暗く見えるフォーカス位置と差異を計測し、当該差異に基づいて、レーザ光のパワーを調整することとした。
2014041676.tif 000002
【特許請求の範囲】
【請求項１】
光記録媒体内部にレーザ光を集光することによって、周囲と屈折率が異なる複数の記録ドットを形成する記録方法であって、
前記記録ドットの深さ方向の記録ドット長さ、または／及び、前記記録ドットの領域が周囲より明るく見えるフォーカス位置と、周囲より暗く見えるフォーカス位置と差異に基づいて、調整された前記レーザ光のパワー値を取得するステップと、
前記取得されたパワー値にて情報記録を行うことを特徴とする光記録方法。
【請求項２】
前記レーザ光のパワー値は、前記光記録媒体の所定領域に記録されており、
前記取得するステップは、前記記録されたパワー値を読み出すことにより行われることを特徴とする請求項１記載の光記録方法。
【請求項３】
前記レーザ光のパワー値を取得するステップは、
前記記録ドット長さまたは／及び前記差異を計測するステップと、
前記計測した結果に基づいて、前記レーザ光のパワー値を調整するステップとにより、前記レーザ光のパワー値を取得することを特徴とする請求項１記載の光記録方法。
【請求項４】
前記調整は、
記録品質を評価する指標と、前記記録ドット長さまたは／及び前記差異との関係を取得するステップと、
前記記録品質を評価する指標の所定の条件を満たすように、前記記録ドット長さまたは／及び前記差異の目標値を決定するステップと、
前記レーザ光のパワーを変化させて記録して、前記目標値に合う前記レーザ光のパワーを決定することによって、行われることを特徴とする請求項１記載の光記録方法。
【請求項５】
前記光記録媒体は、複数の記録層を有し、
前記調整は、
層間クロストーク量と、前記記録ドット長さまたは／及び前記差異との関係を取得するステップと、
前記層間クロストーク量の所定の条件を満たすように、前記記録ドット長さまたは／及び前記差異の目標値を決定するステップと、
前記レーザ光のパワーを変化させて記録して、前記目標値に合う前記レーザ光のパワーを決定することによって、行われることを特徴とする請求項１記載の光記録方法。
【請求項６】
前記光記録媒体は、複数の記録層を有し、
前記調整は、
記録品質を評価する指標および層間クロストーク量と、前記記録ドット長さまたは／及び前記差異との関係を取得するステップと、
前記層間クロストーク量の所定の条件および前記層間クロストーク量の所定の条件を満たすように、前記記録ドット長さまたは／及び前記差異の目標値を決定するステップと、
前記レーザ光のパワーを変化させて記録して、前記目標値に合う前記レーザ光のパワーを決定することによって、行われることを特徴とする請求項１記載の光記録方法。
【請求項７】
更に、前記層間クロストーク量の所定の条件を満たすように、前記複数の記録層の層間距離を調整することを特徴とする請求項６記載の光記録方法。
【請求項８】
前記層間クロストーク量は、前記記録層から所定の層間距離離れた未記録層における明るさのばらつきσｃｔ、前記記録層の信号振幅Ｖｓｉｇで正規化したσｃｔ／Ｖsig、一層記録時と複数層記録時の記録品質の差異の何れかであることを特徴とする請求項５記載の光記録方法。
【請求項９】
前記決定された目標値は、前記光記録媒体の所定の領域に記録されており、
前記目標値を読み出して、前記目標値に合う前記レーザ光のパワーを決定することを特徴とする請求項４記載の光記録方法。
【請求項１０】
光照射によって、周囲と屈折率が異なる複数の記録ドットが形成された光記録媒体であって、
前記記録ドットによって、ユーザデータが記録されたユーザデータ領域と、
前記記録ドットの深さ方向の記録ドット長さの推奨値、または／及び、前記記録ドットの領域が周囲より明るく見えるフォーカス位置と、周囲より暗く見えるフォーカス位置と差異の推奨値が記録された管理領域とを有することを特徴とする光記録媒体。
【請求項１１】
前記管理領域には、前記記録層の層間距離も記録されていることを特徴とする請求項１０記載の光記録媒体。
【請求項１２】
レーザ光を出射する光源と、
前記レーザ光を光情報記録媒体に集光し、周囲と屈折率が異なる複数の記録ドットを記録する手段と、
前記レーザ光の入射方向に対し直交方向から前記記録ドットの深さ方向の長さをモニタする手段と、
前記モニタする手段によって取得した前記ドットの深さ方向の長さに基づいて、前記レーザ光の記録パワーを調整する手段とを有することを特徴とする光記録装置。
【請求項１３】
レーザ光を出射する光源と、
前記レーザ光を光情報記録媒体に集光し、周囲と屈折率が異なる複数の記録ドットを記録する手段と、
前記記録ドットおよび周囲の領域の明るさをモニタする手段と、
前記モニタする手段によって前記記録ドットの領域が周囲より明るく見えるフォーカス位置と、暗く見えるフォーカス位置との差異を取得し、前記差異に基づいて、前記レーザ光のパワーを調整する手段とを有することを特徴とする光記録装置。
【発明の詳細な説明】
【技術分野】
【０００１】
本発明は、光を用いて媒体に情報を記録する装置と方法、及び情報記録媒体に関する。
【背景技術】
【０００２】
石英ガラス等の透明な媒体の内部に短パルスレーザを集光すると、周囲と屈折率が異なる微小な変性領域が形成されることが知られている。そのような微小な変性領域を媒体内部に３次元的に多数形成して情報の記録に利用することが検討されている。【０００３】
以下の特許文献１、２及び非特許文献１は、ガラス等に局所的に周囲のガラスとは屈折率が異なる記録マークを形成した３次元メモリについて記載されている。短パルスレーザによって局所的な変性が形成されるメカニズムについては、例えば非特許文献２に記載されている。
【先行技術文献】
【特許文献】
【０００４】
【特許文献１】USP5,694,249
【特許文献２】USP5,761,111
【非特許文献】
【０００５】
【非特許文献１】E. N. Glezer、 et. al.、 “Three-dimensional optical storage inside transparent materials“、 Opt. Lett.、 Vol. 21、 No. 24、 pp. 2023-2025 (1996)
【非特許文献２】M. Sakakura、 et. al.、 “Improved phase hologram design for generating symmetric light spots and its application for laser writing of waveguides“、 Opt. Lett.、 Vol. 36、 No. 7、 pp. 1065-1067 (2011)
【発明の概要】
【発明が解決しようとする課題】
【０００６】
上記のような媒体をストレージとして用いるためには、記録品質の確保が重要である。記録品質はレーザのパワーに強い依存性があるため、品質確保には高精度なレーザパワー制御が必要となる。しかしながら、上記従来例は、何れも、具体的にどのようにレーザパワーを制御するのか、記載されていない。
【課題を解決するための手段】
【０００７】
そこで、本願では、下記の構成とすることとした。【０００８】
（１）媒体内部にレーザ光を集光することによって、周囲と屈折率が異なる複数の記録ドットを形成する記録方法であって、当該記録ドットの深さ方向（媒体の深さ方向、レーザ照射方向）の記録ドット長さに基づいて、調整されたレーザ光のパワーにて情報記録を行うこととした。【０００９】
これにより、記録品質が最適になるように調整された記録パワーで記録することができる。この記録パワーの推奨値は、記録媒体に予め記録しておいたものを読み出して用いても良いし、記録前に記録パワーを調整するステップを設けても良い。【００１０】
なお、より具体的には、当該ドット長さは、レーザ光の入射方向に対し直交方向からドットをモニタすれば簡便に測ることができる。【００１１】
（２）媒体内部にレーザ光を集光することによって、周囲と屈折率が異なる複数の記録ドットを形成する記録方法であって、当該記録ドットの領域が周囲より明るく見えるフォーカス位置と、周囲より暗く見えるフォーカス位置と差異に基づいて、調整されたレーザ光のパワーにて情報記録を行うこととした。【００１２】
これにより、上記（１）と同様に、記録品質を最適にするように、記録パワーを調整することができる。【００１３】
（３）上記（１）や（２）にて求められた最適記録パワーを媒体の所定の領域に、推奨値として記録した光記録媒体とした。これにより、媒体ごとに最適なパワーを取得して、簡便に情報記録を行うことができる。【００１４】
（４）上記（１）の記録ドット長さを計測する手段と、当該計測した結果からパワー調整する手段を有する装置とする。これにより、上記（１）と同様に、最適記録を行える装置を提供することができる。【００１５】
（５）上記（２）の記録ドットの領域が周囲より明るく見えるフォーカス位置と、周囲より暗く見えるフォーカス位置と差異を計測する手段と、当該計測した結果からパワー調整する手段を有する装置とする。これにより、上記（２）と同様に、最適記録を行える装置を提供することができる。
【発明の効果】
【００１６】
上記構成により、レーザ光のパワー調整を最適化することができるため、高い記録品質を確保することができる。
【図面の簡単な説明】
【００１７】
【図１】本発明の記録方法に用いる装置構成の例を示した図。
【図２】ドットが内部に記録された記録媒体をカメラでモニタした画像の模式図。
【図３】ドット長Ｌと記録パワーとの関係を示す図。
【図４】（ａ）ドットが内部に記録された記録媒体の画像例。（ｂ）カメラのフォーカス位置を変化させてモニタした記録媒体の画像例。（ｃ）ドットが黒く見えるフォーカス位置と白く見えるフォーカス位置の例を示した図。
【図５】ドットが最も暗く観察されるフォーカス位置と、最も明るく観察されるフォーカス位置との差Ｄと、記録パワーとの関係を示す図。
【図６】エラーレートとフォーカス位置差異Ｄとの関係を示した図。
【図７】（ａ）本発明に従って記録パワーの調整を行い、記録を開始するまでのフローチャートの例。（ｂ）本発明に従って記録パワーの調整を行う方法を示す図。
【図８】層間クロストークの定量化方法の例を示す図。
【図９】層間クロストークとフォーカス位置差異Ｄの関係を示す図。
【図１０】本発明に従って記録パワーの調整を行い、記録を開始するまでのフローチャートの例。
【図１１】フォーカス位置差異Ｄに対するエラーレートと層間クロストークの関係を示す図。
【図１２】本発明にしたがって記録パワーの調整および層間距離の決定を行い、記録を開始するまでのフローチャートの例。
【図１３】フォーカス位置差異Ｄの目標値が記録されている記録媒体の例を示す図。
【図１４】記録媒体に記録された情報を参照して記録を行うフローチャートの例。
【発明を実施するための形態】
【００１８】
以下、本発明の実施の形態を図面に基づいて詳細に説明する。
【実施例１】
【００１９】
本実施例では、記録品質を確保可能な最適記録パワーを導出し、記録を行う方法について説明する。【００２０】
図１は、本発明の記録方法に用いる装置構成の例を示した図である。本装置は、記録光学系、再生光学系、および装置全体を制御するコントローラ１００から構成されている。まず記録光学系について説明する。レーザ１０１はレーザ光１０２を出射する。レーザ１０１は、例えばチタンサファイアレーザやＱスイッチＹＡＧレーザ、ファイバレーザなど、ピークパワーが高く、非線形光学効果を誘起することができる短パルスレーザが挙げられる。シャッタ１０３およびアッテネータ１０４は、レーザ光１０２の記録媒体１０７への照射制御やパワー制御を行う。なお、シャッタ１０３およびアッテネータ１０４はレーザ１０１に内蔵してもよいし、位相変調器と偏光板を組み合わせて同様の機能を実現してもよい。ミラー１０５はレーザ光１０２を反射し、後述する再生光１０９を透過する。レンズ１０６にてレーザ光１０２を記録媒体１０７に集光し、ドットの記録を行う。ここで記録媒体１０７は、石英ガラスなどレーザ光１０２に対して透明な媒体である。ステージ１０８は記録媒体１０７の位置制御を行う。この位置制御によってレーザ光１０２の集光位置を変化させ、記録データに基づいて複数のドットを３次元的に記録する。なおレーザ光１０２の集光位置を変化させる手段として、ピエゾやステッピングモータを用いたステージ１０８によって記録媒体１０７を移動させてもよいし、ガルバノミラーや空間位相変調器によって集光位置を制御してもよい。【００２１】
つぎに、再生光学系について説明する。再生用光源１１０は再生光１０９を出射する。再生用光源としては、ＬＥＤや半導体レーザなどが挙げられる。再生光１０９は、記録媒体１０７を透過してカメラ１１１およびカメラ１１２に集光する。カメラ１１１はレーザ光１０２の入射方向に直交する方向(ｙ方向)からの観察によって、ドットの深さ方向の長さをモニタする。一方、カメラ１１２ではレーザ光１０２の入射方向(ｚ方向)からの観察により、記録されたドットおよび周囲の明るさのモニタが可能である。カメラ１１１およびカメラ１１２はモニタした画像をコントローラ１００に出力する。コントローラ１００は、入力された画像からドット長やドットおよび周囲の明るさを測定する。また測定した明るさに基づいて、後述するエラーレートやＳ／Ｎを算出するとともに、信号処理やデコードなどを行い、データを再生する。なおカメラ１１１およびカメラ１１２については、ドットの長さや明るさなどの測定項目に応じてどちらか一方のみ備えていてもよい。【００２２】
図２はドットが内部に記録された記録媒体１０７をカメラ１１１でモニタした画像の模式図である。記録データに応じてドット２０１がｘｙ平面に形成されており、またｚ方向に複数の記録層が仮想的に形成されている。モニタしたドットの長さをＬとして、記録パワーとの関係をプロットした図が図３である。ドット長Ｌは記録パワーと相関があり、記録パワー増加に伴って増大する。この関係は、レーザ１０１や対物レンズ１０６の条件、および記録媒体の種類によっても変化する。すなわち、記録パワーが同一であっても対物レンズの条件が異なる場合には形成されるドット形状が変化する。なお、ここでは記録パワーに対するドット長Ｌの傾向を示したが、パラメータとして記録エネルギーを用いても同様の傾向を示す。図４（ａ）は、ドットが内部に記録された記録媒体１０７をカメラ１１２でモニタした画像の例である。レーザ光１０２が集光した領域はドット２０１として観察が可能であり、ドット２０１の有無をデータの０と１に対応させることでデジタルデータの記録再生を行うことができる。また品質評価指標として、次のようにエラーレートやＳ／Ｎを算出することが可能である。エラーレートについては、明るさの閾値を設けてデータの０と１を判定し、元データと比較することにより算出する。Ｓ／Ｎについては、ドットとスペース２０２の平均明るさの差を信号振幅とし、ドットとスペースそれぞれの明るさの標準偏差をＲＭＳ加算した値をノイズとして、数１の演算によって算出する。【００２３】
【数１】
2014041676.tif 000003
【００２４】
ここで、σd 、σsはそれぞれドットとスペースの明るさばらつき、Vd 、Vsはそれぞれドットとスペースの平均明るさを表す。また、根号は(σd2 +σs2)に対する演算、|Vd - Vs|は絶対値を取ることを示している。【００２５】
また数２に示すように、ドット２０１とスペース２０２の平均明るさの差をスペース２０２の平均明るさで正規化した指標を変調度Ｍとする。【００２６】
【数２】
2014041676.tif 000004
【００２７】
図４（ｂ）は、カメラ１１２のフォーカス位置を図４（ａ）に対してマイナスｚ方向に１６μｍ変化させた例である。図４（ａ）ではドットが周囲に対して暗い（黒い）のに対し、図４（ｂ）では明るく（白く）観察されている。図４（ｃ）は、図４（ａ）（ｂ）のフォーカス位置の例を示した図である。周囲に対してドットが最も暗く観察されるフォーカス位置と、最も明るく観察されるフォーカス位置との差をＤとして、記録パワーとの関係をプロットした図が図５である。フォーカス位置差異Ｄは記録パワーと相関があり、記録パワー増加に伴って増大する。この関係は、レーザ１０１や対物レンズ１０６の条件、および記録媒体の種類によっても変化する。すなわち、フォーカス位置差異Ｄは実際に形成されているドット形状や明るさに対応する。なお、ここでは記録パワーに対するフォーカス位置差異Ｄの傾向を示したが、パラメータとして記録エネルギーを用いても同様の傾向を示す。【００２８】
図６は、エラーレートとフォーカス位置差異Ｄとの関係を示した図である。例えば、エラーレートを１ｘ１０−３以下とする場合には、フォーカス位置差異Ｄが１３〜２０μｍの範囲に含まれるように記録を行えばよい。なお、ここでは記録品質の指標としてエラーレートの例を示したが、先に述べたＳ／Ｎなど他の指標に対してもフォーカス位置差異Ｄを用いることができる。また、フォーカス位置差異Ｄの代用としてドット長Ｌ、または変調度Ｍを用いてもよい。フォーカス位置差異Ｄとドット長Ｌ、および変調度Ｍは相関があり、記録品質との関係が同様の傾向を示すからである。【００２９】
図７（ａ）は、本発明に従って記録パワーの調整を行い、記録を開始するまでのフローチャートの例である。Ｓ７０１にて図６に示した記録品質とフォーカス位置差異Ｄまたはドット長Lの関係を取得する。Ｓ７０２にて、記録品質の仕様にしたがってフォーカス位置差異Ｄの目標値Ｄｔａｒを決定する。図６の例では、マージンの中心である１７をＤｔａｒとすればよい。Ｓ７０３にてパワーを変化させて記録を行い、Ｓ７０４にてＳ７０３で記録したドットのフォーカス位置差異Ｄを測定する。Ｓ７０５にてＤ＝Ｄｔａｒとなるパワーを最適記録パワーとして、Ｓ７０６にて記録を開始する。これら記録パワー調整は、記録媒体の試し書き領域などユーザデータ領域とは異なる領域で実施する。なおＤｔａｒを一度決定しておけば、以降同様の媒体に記録を行う際にはＳ７０１とＳ７０２を行う必要はない。したがって記録装置の製品出荷前や最初に記録を行う際などにＳ７０１とＳ７０２を実施し、Ｄｔａｒを予め決定し、媒体に記録しておけばよい。また、フォーカス位置差異Ｄの代用としてドット長Ｌまたは変調度Ｍを用いてもよいし、記録パワーの代わりに記録エネルギーを記録条件としてもよい。図７（ｂ）は、Ｓ７０３からＳ７０５までの動作を図示したものである。各記録パワーでフォーカス位置差異Ｄを測定し、フィッティングを行う。フィッティング関数に対してＤｔａｒとなるフォーカス位置差異Ｄを求めることで、最適記録パワーを導出することができる。なお、記録パワーを変化させる範囲はＤ＝Ｄｔａｒとなるパワー近傍だけでもよいし、レーザが出射可能な範囲全体としてもよい。また、ひとつの記録パワーにおいて記録およびフォーカス位置差異Ｄを測定するドットの数はひとつでもよいし、測定精度向上のために複数のドットを記録および測定してもよい。【００３０】
以上のように、実際に記録媒体に記録されたドットの形状に基づいて記録パワーを調整することで、予め設定した固定の記録パワーにて記録を行う場合に対して記録品質の確保が容易となる。【００３１】
なお、本実施例では、図２のような多層構造を用いて説明したが、単層でも適用可能である。単層の場合でも、上記処理を行うことで、低いエラーレートや高Ｓ／Ｎ化を達成することが可能である。
【実施例２】
【００３２】
本実施例では、層間クロストークを抑制する記録パワー調整方法の例を示す。なお本実施例では、実施例１に対して差異のない構成や動作については記載を省略する。【００３３】
図８は、層間クロストークの定量化方法の例を示した図である。一層のみ記録を行い、カメラ１１２のフォーカス位置を記録層から所定の層間距離だけ変化させてモニタした場合、記録層のドット２０１が透過した像８０１が観察される。この透過像が多層化の際の層間クロストークの要因となる。層間クロストークの定量化のためには、未記録層において所定の範囲内で明るさのばらつきσｃｔを取得すればよい。また、記録層の信号振幅Ｖｓｉｇで正規化したσｃｔ／Ｖｓｉｇを層間クロストークの指標としてもよい。このように正規化することで、記録層の記録条件依存性をキャンセルすることができる。また、一層のみ記録を行った場合と他の層を記録した場合とでエラーレートやＳ／Ｎの比較を行い、その差異を層間クロストークの指標としてもよい。【００３４】
図９は、先に述べた層間クロストークとフォーカス位置差異Ｄの関係を示した図である。層間クロストークはフォーカス位置差異Ｄと相関があり、記録パワーの増加に伴って増大する。図９から、層間クロストークを例えば３％以下とする場合には、フォーカス位置差異Ｄが１５μｍ以下となるように記録を行えばよい。すなわち、Ｄｔａｒを１５以下に設定して記録パワー調整を実施すればよい。なお、実施例１と同様に、フォーカス位置差異Ｄの代わりにドット長Ｌ、または変調度Ｍを用いてもよい。【００３５】
図１０は、本発明に従って記録パワーの調整を行い、記録を開始するまでのフローチャートの例である。Ｓ１００１にて図９に示した記録品質とフォーカス位置差異Ｄの関係を取得する。Ｓ１００２にて、記録品質の仕様にしたがってフォーカス位置差異Ｄの目標値Ｄｔａｒを決定する。図９の例では、例えばＤｔａｒ＝１０とすればよい。Ｓ１００３以降の動作は、実施例１図７のＳ７０３以降と同様であるため説明を省略する。
【実施例３】
【００３６】
本実施例では、記録品質の確保と層間クロストークの抑制を両立する記録パワー調整方法および層間距離決定方法の例を示す。なお本実施例では、実施例１に対して差異のない構成や動作については記載を省略する。【００３７】
図１１は、フォーカス位置差異Ｄとエラーレートの関係、および層間距離６０μｍの場合と３０μｍの場合のフォーカス位置差異Ｄと層間クロストークの関係を示した図である。エラーレートの仕様が１ｘ１０−３以下、層間クロストークの仕様が６％以下の場合について、フォーカス位置差異Ｄの目標値Ｄｔａｒおよび層間距離の決定方法を説明する。層間距離が例えば３０μｍに決定されている場合には、エラーレートと層間クロストークの仕様を共に満足するようにＤｔａｒを１３〜１５とすればよい。一方、層間距離が選択可能な場合には、例えばエラーレートのマージン中心であるＤ＝１７をＤｔａｒとして、層間距離を６０μｍとすればよい。なお、実施例１と同様に、フォーカス位置差異Ｄの代わりにドット長Ｌまたは変調度Ｍを用いてもよい。【００３８】
図１２は、本発明にしたがって記録パワーの調整および層間距離の決定を行い、記録を開始するまでのフローチャートの例である。Ｓ１２０１にて図１１に示した記録品質および層間クロストークと、フォーカス位置差異Ｄまたはドット長Ｌの関係を取得する。Ｓ１２０２にて、図１１の説明で述べた方法に従って記録品質と層間クロストークの仕様を共に満足するフォーカス位置差異Ｄおよび層間距離を決定する。Ｓ１２０３からＳ１２０５までの動作は、実施例１図７のＳ７０３からＳ７０５までの動作と同様であるので説明を省略する。Ｓ１２０６にて最適記録パワーおよび決定した層間距離の仕様に基づいて記録を行う。なお、Ｓ７０１およびＳ７０２の動作と同様に、Ｓ１２０１およびＳ１２０２の動作を製品出荷前などに予め実施し、Ｄｔａｒおよび層間距離を決定し、媒体に記録しておくことが望ましい。コントローラ１００が記録を指令してから、ユーザデータを記録可能となるまでに要する時間を短縮するためである。
【実施例４】
【００３９】
本実施例では、フォーカス位置差異Ｄの目標値Ｄｔａｒが記録されている記録媒体およびその情報を用いて記録を行う方法について説明する。なお本実施例では、実施例１に対して差異のない構成や動作については記載を省略する。【００４０】
図１３は、Ｄｔａｒが記録されている記録媒体の例を示した図である。本媒体は、Ｄｔａｒや層間距離の仕様が記録されている管理領域１３０２をユーザデータ記録領域１３０１とは異なる領域に設けている。本管理領域には媒体メーカがＤｔａｒや層間距離の推奨値を記録してもよいし、当該媒体に最初に記録を行った装置が仕様を記録してもよい。管理領域１３０２には、Ｄｔａｒ以外に媒体メーカ名や、組成、製造日、層数、ドット間隔、推奨記録パワーやレーザ波長などを記録してもよいし、Ｄｔａｒの代わりにドット長Ｌの目標値Ｌｔａｒ、または変調度Ｍの目標値Ｍｔａｒを記録してもよい。なおここでは記録領域１３０１の外部に管理領域１３０２を備えた例を示したが、記録領域１３０１内部の先頭など特定の位置に設けてもよい。また、記録層ごとや記録ブロック単位で設けてもよい。これは記録媒体内の領域によって記録特性が異なる場合に有効である。【００４１】
図１４は、図１３に示した記録媒体に記録された情報を参照して記録を行うフローチャートの例である。Ｓ１４０１にて管理領域１３０２に移動し、管理情報の再生を行う。Ｓ１４０２にて管理情報からＤｔａｒや層間距離の仕様を取得する。Ｓ１４０３以降の動作は、実施例３図１２のＳ１２０３以降の動作と同様であるため説明を省略する。【００４２】
なお、本実施例では、フォーカス位置差異Ｄの目標値Ｄｔａｒが記録されている記録媒体について説明したが、調整後の最適記録パワーを管理領域に記録しても良い。その場合、装置のばらつきには対応できないが、パワー調整を行うステップを省略できるため、より簡便なステップで、情報記録を行える効果がある。【００４３】
なお、上記各実施例では、記録ドットの長さL又はフォーカス位置の差異Dの何れかの目標値を決定し、LまたはDを各記録ドットについて測定することについて説明したが、L及びDの目標値を決定し、L及びDを各記録ドットについて測定するようにしても良い。この場合は、両方のパラメータを満たして記録パワーを決定することとなるので、より高い記録品質を得られる効果を奏する。
【符号の説明】
【００４４】
１００：コントローラ、１０１：レーザ、１０２：レーザ光、１０３：シャッタ、１０４：アッテネータ、１０５：ミラー、１０６：レンズ、１０７：記録媒体、１０８：ステージ、１０９：再生光、１１０：再生用光源、１１１：カメラ、１１２：カメラ、２０１：ドット、２０２：スペース、８０１：透過したドット、１３０１：ユーザデータ記録領域、１３０２：管理領域
【図１】
2014041676.tif 000005
【図２】
2014041676.tif 000006
【図３】
2014041676.tif 000007
【図４】
2014041676.tif 000008
【図５】
2014041676.tif 000009
【図６】
2014041676.tif 000010
【図７】
2014041676.tif 000011
【図８】
2014041676.tif 000012
【図９】
2014041676.tif 000013
【図１０】
2014041676.tif 000014
【図１１】
2014041676.tif 000015
【図１２】
2014041676.tif 000016
【図１３】
2014041676.tif 000017
【図１４】
2014041676.tif 000018
【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
光記録媒体内部にレーザ光を集光することによって、周囲と屈折率が異なる複数の記録ドットを形成する記録方法であって、
前記記録ドットの領域が周囲より明るく見えるフォーカス位置と、周囲より暗く見えるフォーカス位置と差異に基づいて、調整された前記レーザ光のパワー値を取得するステップと、
前記取得されたパワー値にて情報記録を行うことを特徴とする光記録方法。
【請求項２】
前記レーザ光のパワー値は、前記光記録媒体の所定領域に記録されており、
前記取得するステップは、前記記録されたパワー値を読み出すことにより行われることを特徴とする請求項１記載の光記録方法。
【請求項３】
前記レーザ光のパワー値を取得するステップは、
前記差異を計測するステップと、
前記計測した結果に基づいて、前記レーザ光のパワー値を調整するステップと
により、前記レーザ光のパワー値を取得することを特徴とする請求項１記載の光記録方法。
【請求項４】
前記調整は、
記録品質を評価する指標と、前記差異との関係を取得するステップと、
前記記録品質を評価する指標の所定の条件を満たすように、前記差異の目標値を決定するステップと、
前記レーザ光のパワーを変化させて記録して、前記目標値に合う前記レーザ光のパワーを決定することによって、行われることを特徴とする請求項１記載の光記録方法。
【請求項５】
前記光記録媒体は、複数の記録層を有し、
前記調整は、
層間クロストーク量と、前記差異との関係を取得するステップと、
前記層間クロストーク量の所定の条件を満たすように、前記差異の目標値を決定するステップと、
前記レーザ光のパワーを変化させて記録して、前記目標値に合う前記レーザ光のパワーを決定することによって、行われることを特徴とする請求項１記載の光記録方法。
【請求項６】
前記光記録媒体は、複数の記録層を有し、
前記調整は、
記録品質を評価する指標および層間クロストーク量と、前記差異との関係を取得するステップと、
前記層間クロストーク量の所定の条件および前記層間クロストーク量の所定の条件を満たすように、前記差異の目標値を決定するステップと、
前記レーザ光のパワーを変化させて記録して、前記目標値に合う前記レーザ光のパワーを決定することによって、行われることを特徴とする請求項１記載の光記録方法。
【請求項７】
更に、前記層間クロストーク量の所定の条件を満たすように、前記複数の記録層の層間距離を調整することを特徴とする請求項６記載の光記録方法。
【請求項８】
前記層間クロストーク量は、前記記録層から所定の層間距離離れた未記録層における明るさのばらつきσｃｔ、前記記録層の信号振幅Ｖｓｉｇで正規化したσｃｔ／Ｖsig、一層記録時と複数層記録時の記録品質の差異の何れかであることを特徴とする請求項５記載の光記録方法。
【請求項９】
前記決定された目標値は、前記光記録媒体の所定の領域に記録されており、
前記目標値を読み出して、前記目標値に合う前記レーザ光のパワーを決定することを特徴とする請求項４記載の光記録方法。
【請求項１０】
光照射によって、周囲と屈折率が異なる複数の記録ドットが形成された光記録媒体であって、
前記記録ドットによって、ユーザデータが記録されたユーザデータ領域と、
前記記録ドットの領域が周囲より明るく見えるフォーカス位置と、周囲より暗く見えるフォーカス位置と差異の推奨値が記録された管理領域とを
有することを特徴とする光記録媒体。
【請求項１１】
前記管理領域には、前記記録層の層間距離も記録されていることを特徴とする請求項１０記載の光記録媒体。
【請求項１２】
レーザ光を出射する光源と、
前記レーザ光を光情報記録媒体に集光し、周囲と屈折率が異なる複数の記録ドットを記録する手段と、
前記記録ドットおよび周囲の領域の明るさをモニタする手段と、
前記モニタする手段によって前記記録ドットの領域が周囲より明るく見えるフォーカス位置と、暗く見えるフォーカス位置との差異を取得し、前記差異に基づいて、前記レーザ光のパワーを調整する手段と
を有することを特徴とする光記録装置。
【手続補正書】
【提出日】平成28年1月12日(2016.1.12)
【手続補正１】
【補正対象書類名】特許請求の範囲
【補正対象項目名】全文
【補正方法】変更
【補正の内容】
【特許請求の範囲】
【請求項１】
光記録媒体内部にレーザ光を集光することによって、周囲と屈折率が異なる複数の記録ドットを形成する記録方法であって、
前記記録ドットの領域が周囲より明るく見えるフォーカス位置と、周囲より暗く見えるフォーカス位置と差異に基づいて、調整された前記レーザ光のパワー値を取得するステップと、
前記取得されたパワー値にて情報記録を行うことを特徴とする光記録方法。
【請求項２】
前記調整されたレーザ光のパワー値は、前記光記録媒体の所定領域に記録されており、
前記取得するステップは、前記所定領域に記録されたパワー値を読み出すことにより行われることを特徴とする請求項１記載の光記録方法。
【請求項３】
前記レーザ光のパワー値を取得するステップは、
前記差異を計測するステップと、
前記計測した結果に基づいて、前記レーザ光のパワー値を調整するステップと
により、前記レーザ光のパワー値を取得することを特徴とする請求項１記載の光記録方法。
【請求項４】
前記調整は、
記録品質を評価する指標と、前記差異との関係を取得するステップと、
前記記録品質を評価する指標の所定の条件を満たすように、前記差異の目標値を決定するステップと、
前記レーザ光のパワーを変化させて記録して、前記目標値に合う前記レーザ光のパワーを決定することによって、行われることを特徴とする請求項１記載の光記録方法。
【請求項５】
前記光記録媒体は、複数の記録層を有し、
前記調整は、
層間クロストーク量と、前記差異との関係を取得するステップと、
前記層間クロストーク量の所定の条件を満たすように、前記差異の目標値を決定するステップと、
前記レーザ光のパワーを変化させて記録して、前記目標値に合う前記レーザ光のパワーを決定することによって、行われることを特徴とする請求項１記載の光記録方法。
【請求項６】
前記光記録媒体は、複数の記録層を有し、
前記調整は、
記録品質を評価する指標および層間クロストーク量と、前記差異との関係を取得するステップと、
前記層間クロストーク量の所定の条件および前記層間クロストーク量の所定の条件を満たすように、前記差異の目標値を決定するステップと、
前記レーザ光のパワーを変化させて記録して、前記目標値に合う前記レーザ光のパワーを決定することによって、行われることを特徴とする請求項１記載の光記録方法。
【請求項７】
更に、前記層間クロストーク量の所定の条件を満たすように、前記複数の記録層の層間距離を調整することを特徴とする請求項６記載の光記録方法。
【請求項８】
前記層間クロストーク量は、前記記録層から所定の層間距離離れた未記録層における明るさのばらつきσｃｔ、前記記録層の信号振幅Ｖｓｉｇで正規化したσｃｔ／Ｖsig、一層記録時と複数層記録時の記録品質の差異の何れかであることを特徴とする請求項５記載の光記録方法。
【請求項９】
前記決定された目標値は、前記光記録媒体の所定の領域に記録されており、
前記目標値を読み出して、前記目標値に合う前記レーザ光のパワーを決定することを特徴とする請求項４記載の光記録方法。
【請求項１０】
光照射によって、周囲と屈折率が異なる複数の記録ドットが形成された光記録媒体であって、
前記記録ドットによって、ユーザデータが記録されたユーザデータ領域と、
前記記録ドットの領域が周囲より明るく見えるフォーカス位置と、周囲より暗く見えるフォーカス位置と差異の推奨値が記録された管理領域とを
有することを特徴とする光記録媒体。
【請求項１１】
前記管理領域には、前記記録層の層間距離も記録されていることを特徴とする請求項１０記載の光記録媒体。
【請求項１２】
レーザ光を出射する光源と、
前記レーザ光を光情報記録媒体に集光し、周囲と屈折率が異なる複数の記録ドットを記録する手段と、
前記記録ドットおよび周囲の領域の明るさをモニタする手段と、
前記モニタする手段によって前記記録ドットの領域が周囲より明るく見えるフォーカス位置と、暗く見えるフォーカス位置との差異を取得し、前記差異に基づいて、前記レーザ光のパワーを調整する手段と
を有することを特徴とする光記録装置。
【手続補正書】
【提出日】平成28年4月13日(2016.4.13)
【手続補正１】
【補正対象書類名】特許請求の範囲
【補正対象項目名】全文
【補正方法】変更
【補正の内容】
【特許請求の範囲】
【請求項１】
光記録媒体内部にレーザ光を集光することによって、周囲と屈折率が異なる複数の記録ドットを形成する記録方法であって、
前記記録ドットの領域が周囲より明るく見えるフォーカス位置と、周囲より暗く見えるフォーカス位置と差異に基づいて、調整された前記レーザ光のパワー値を取得するステップと、
前記取得されたパワー値にて情報記録を行うことを特徴とする光記録方法。
【請求項２】
前記レーザ光のパワー値を取得するステップは、
前記差異を計測するステップと、
前記計測した結果に基づいて、前記レーザ光のパワー値を調整するステップと
により、前記レーザ光のパワー値を取得することを特徴とする請求項１記載の光記録方法。
【請求項３】
前記調整は、
記録品質を評価する指標と、前記差異との関係を取得するステップと、
前記記録品質を評価する指標の所定の条件を満たすように、前記差異の目標値を決定するステップと、
前記レーザ光のパワーを変化させて記録して、前記目標値に合う前記レーザ光のパワーを決定することによって、行われることを特徴とする請求項１記載の光記録方法。
【請求項４】
前記光記録媒体は、複数の記録層を有し、
前記調整は、
層間クロストーク量と、前記差異との関係を取得するステップと、
前記層間クロストーク量の所定の条件を満たすように、前記差異の目標値を決定するステップと、
前記レーザ光のパワーを変化させて記録して、前記目標値に合う前記レーザ光のパワーを決定することによって、行われることを特徴とする請求項１記載の光記録方法。
【請求項５】
前記光記録媒体は、複数の記録層を有し、
前記調整は、
記録品質を評価する指標および層間クロストーク量と、前記差異との関係を取得するステップと、
前記層間クロストーク量の所定の条件および前記層間クロストーク量の所定の条件を満たすように、前記差異の目標値を決定するステップと、
前記レーザ光のパワーを変化させて記録して、前記目標値に合う前記レーザ光のパワーを決定することによって、行われることを特徴とする請求項１記載の光記録方法。
【請求項６】
更に、前記層間クロストーク量の所定の条件を満たすように、前記複数の記録層の層間距離を調整することを特徴とする請求項５記載の光記録方法。
【請求項７】
前記層間クロストーク量は、前記記録層から所定の層間距離離れた未記録層における明るさのばらつきσｃｔ、前記記録層の信号振幅Ｖｓｉｇで正規化したσｃｔ／Ｖsig、一層記録時と複数層記録時の記録品質の差異の何れかであることを特徴とする請求項４記載の光記録方法。
【請求項８】
前記決定された目標値は、前記光記録媒体の所定の領域に記録されており、
前記目標値を読み出して、前記目標値に合う前記レーザ光のパワーを決定することを特徴とする請求項３記載の光記録方法。
【請求項９】
光照射によって、周囲と屈折率が異なる複数の記録ドットが形成された光記録媒体であって、
前記記録ドットによって、ユーザデータが記録されたユーザデータ領域と、
前記記録ドットの領域が周囲より明るく見えるフォーカス位置と、周囲より暗く見えるフォーカス位置と差異の推奨値が記録された管理領域とを
有することを特徴とする光記録媒体。
【請求項１０】
前記管理領域には、前記記録層の層間距離も記録されていることを特徴とする請求項９記載の光記録媒体。
【請求項１１】
レーザ光を出射する光源と、
前記レーザ光を光情報記録媒体に集光し、周囲と屈折率が異なる複数の記録ドットを記録する手段と、
前記記録ドットおよび周囲の領域の明るさをモニタする手段と、
前記モニタする手段によって前記記録ドットの領域が周囲より明るく見えるフォーカス位置と、暗く見えるフォーカス位置との差異を取得し、前記差異に基づいて、前記レーザ光のパワーを調整する手段と
を有することを特徴とする光記録装置。
【国際調査報告】
2014041676.tif 000019
2014041676.tif 000020
2014041676.tif 000021
2014041676.tif 000022